【事件の表示】
　特願２００２−２１２３４６「パチンコ機における球発射装置のハンマー」拒絶査定不服審判事件〔平成１６年　２月１９日出願公開、特開２００４−　４９６０９〕について、次のとおり審決する。
【結　論】
　本件審判の請求は、成り立たない。
【理　由】
　
第一、手続きの経緯
　本願は、平成１４年７月２２日の出願であって、平成２０年６月１２日付けで拒絶理由が通知され、これに対し、同年７月３日付けで手続補正がなされ、同年８月２６日付けで拒絶査定がなされ、これに対し、同年１０月２日に拒絶査定不服の審判請求がなされるとともに、同年同日付け手続補正書によって明細書の一部が補正されたものである。
　なお、当審において、平成２１年７月９日付けで審査官による前置報告書の内容を添付して審尋を行い、同年８月２８日に回答書が提出されている。
　
第二、平成２０年１０月２日付けの手続補正についての補正却下の決定
［補正却下の決定の結論］
　平成２０年１０月２日付けの手続補正（以下、「本件補正」という。）を却下する。
［理由］
　（１）補正前・後の本願発明　　
　本件補正は、補正前（平成２０年７月３日付け手続補正により補正された特許請求の範囲）の請求項１乃至５のうち、請求項１に記載された、
　「　駆動源の出力軸に備えられたハンマー本体の先端側取付部位に帽子状のハンマーヘッドを嵌合して取付けて成るパチンコ機における球発射装置のハンマーにおいて、ハンマーヘッドは、緩衝機能を有する材料により、内周径が先端側取付部位の外周径より小さく形成され、先端側取付部位へのハンマーヘッドの取付けに際してハンマーヘッドの開放端面が先端側取付部位の後端面を超えるとこのハンマーヘッドの開放端側が材料の弾性により先端側取付部位の後端面に係止することによってハンマーヘッドの先端側内面が先端側取付部位の先端面に密着した状態に維持され、かつ、先端側取付部位の先端面あるいはこの先端面と対面するハンマーヘッドの先端側内面と外部とを繋ぐ空気逃がし手段を備えたことを特徴とするパチンコ機における球発射装置のハンマー。」を、
　「　
ロータリー電磁ソレノイド
一緒に回転するように
の内周面
　また、請求項３に記載された、
　「　空気逃がし手段は、ハンマーヘッドの先端側内面から開放端面に延長する溝あるいは突起により形成されたことを特徴とする請求項１に記載のパチンコ機における球発射装置のハンマー。」を、
　「　空気逃がし手段は、ハンマーヘッドの先端側内面から開放端面に延長する
溝に
　
　上記補正は、　
　イ）補正前の特許請求の範囲の請求項１に記載された発明を特定するために必要な事項である「ハンマー本体」の修飾語句について「駆動源の出力軸に備えられた」を「ロータリー電磁ソレノイドの出力軸に一緒に回転するように備えられた」と補正し、
　ロ）同「材料の弾性により先端側取付部位の後端面に係止する」ものについて、「ハンマーヘッドの開放端側が」を「ハンマーヘッドの開放端側の内周面が」と補正し、
　ハ）補正前の特許請求の範囲の請求項３に記載された発明を特定するために必要な事項である「空気逃がし手段」を形成するものについて「溝あるいは突起」を「溝」と補正するものである。
　ここで、上記イ）及びロ）の補正は、請求項１に記載された発明を特定するために必要な事項を限定するものであるから、当該補正は特許請求の範囲を減縮するものであり、
　上記ハ）の補正は、択一的要素の削除であって特許請求の範囲の限定的減縮に相当するから、本件補正は、平成１８年法律第５５号改正附則第３条第１項によりなお従前の例によるとされる同法による改正前の特許法第１７条の２第４項第２号の特許請求の範囲の減縮を目的とするものに該当する。
　
　（２）そこで、本件補正後の請求項１に記載された発明（以下、「本願補正発明１」という。）が特許出願の際独立して特許を受けることができるものであるのか（上記改正前の特許法第１７条の２第５項において準用する同法第１２６条第５項の規定に適合するか）について以下に検討する。
　
　（あ）刊行物に記載された発明
刊行物１；実願昭５６−４８６９６号（実開昭５７−１６０７８３号）の
　　　　　　マイクロフィルム
刊行物ア；特開平８−２７２５２４号公報
刊行物イ；特開２００２−３１１１７号公報（平成１４年１月３１日公開）
　
　原査定の拒絶理由に引用された、実願昭５６−４８６９６号（実開昭５７−１６０７８３号）のマイクロフィルム（以下、「引用刊行物１」という。）において、
　（１−１）明細書第１頁第４行乃至第１８行には、「２．実用新案登録請求の範囲
（１）　金属製の打球槌本体と合成樹脂製の打球ヘッドとより成り、打球槌本体は先端に角柱状の取付部を横方向へ突設すると共に、該取付部の根元に係止溝を凹設し、打球ヘッドは先端側に打球部を突設し、基部側に袋状の凹孔を設けると共に、その凹孔の開口内縁に係止突条を突設し、打球へッドの凹孔を打球槌本体の取付部に押し込んで嵌着すると共に、係止突条を係止溝に係止して取付け固定することを特徴とするパチンコ機の打球槌。
（２）　打球ヘッドの凹孔に段部を設けて取付部の先端部分に空間を形成したことを特徴とする実用新案登録請求の範囲第（１）項記載のパチンコ機の打球槌。」と、　
　（１−２）明細書第２頁第１５行乃至第４頁第１４行には、「　本考案は、上述の従来欠点を解消し、打球槌の取付部に合成樹脂製の打球へッドを容易かつ確実に取付けることができると共に、摩耗等により交換の必要が生じた時には全く手間を要さず至極簡単にできるようにしたものである。
　以下、本考案の一実施例を図画について説明すると、１は打抜き加工又はダイカスト成形により所要形状に形成された金属製の打球槌本体で、下方部には四角形状の軸孔２が形成され、先端部には横向きに角柱状の取付部３が形成されており、さらにこの取付部３の根元の上下位置には係止溝４，４が凹設されている。
　５は合成樹脂製の打球ヘッドで、円柱状の打球部５ａと角柱状の取付基部５ｂとからなる。打球部５ａの先端は平らな打球面６に形成し、また胴部外周には弾力性を増すための所要深さの凹溝７，７が周設されている。前記取付基部５ｂには後側に向かって開口する袋状の凹孔８が形成されており、この凹孔８の開口入口部の上下縁には爪状の係止突条９，９が突設されている。前記凹孔８は打球槌本体１の取付部３に合致する形状であり、またこの実施例では段部１０を介して奥部に空間１１が形成されるように深くしている。
　しかして、打球へッド５の凹孔８を打球槌本体１の取付部３に当てがって押し込み、係止突条９，９を係止溝４，４に係止させることにより、打球へッド５を打球槌本体１の取付部３に嵌合固定するものである。この際に取付部３の先端は段部１０に当接して位置決めされ、凹孔８の形状に正しく合致して打球へッドの回動を阻止し、さらに係止溝４，４と係止突条９，９の係合により抜けるのを防止してしっかりと固定される。・・・また取付部３の先部に形成される空間１０（審決注：明細書全体の記載から「空間１１」の誤記と認める。）は、打球ヘッド５の弾力性を増して球飛びをよくするためのものであり、従って打球へッドの材質によっては必ずしも必要とされるものではない。」と、それぞれ記載されている。　
　　　　　　
　したがって、これらの記載をまとめると、引用刊行物１には、
「　金属製の打球槌本体１と合成樹脂製の打球ヘッド５とより成り、
　打球槌本体１は先端に角柱状の取付部３を横方向へ突設すると共に、該取付部３の根元の上下位置には係止溝４，４を凹設し、
　打球ヘッド５は、円柱状の打球部５ａと角柱状の取付基部５ｂとからなり、前記取付基部５ｂには後側に向かって開口する袋状の凹孔８を打球槌本体１の取付部３に合致する形状で設けると共に、その凹孔８の開口入口部の上下内縁には爪状の係止突条９，９を突設し、
　打球槌の取付部３に打球へッド５を確実に取付けることができる、パチンコ機の打球槌において、
　打球へッド５の凹孔８を打球槌本体１の取付部３に当てがって押し込み、係止突条９，９を係止溝４，４に係止させることにより、打球へッド５を打球槌本体１の取付部３に嵌合固定するものであり、この際に取付部３の先端は凹孔８に設けられた段部１０に当接して位置決めされ、
　取付部３の先端部分に形成される空間１１は、打球ヘッド５の弾力性を増して球飛びをよくするためのものであり、打球へッドの材質によっては必ずしも必要とされるものではない、
　パチンコ機の打球槌。」の発明（以下、「引用発明１」という。）が記載されていると認められる。
　
　原査定の拒絶理由に周知技術として引用された、特開平８−２７２５２４号公報（以下、「引用刊行物ア」という。）には、以下の記載がある。
　（ア−１）「【００４０】・・・
スティック５０は、図１，２，４に示すように、円板部５０−１と、円板部５０−１より直立して上方に突き出している円柱状のスティック部５０−２とを有する。
【００４１】スティック部５０−２は、周面に、複数の溝５０−３を有する。この溝５０−３が請求項１６中の溝を構成する。溝５０−３は、スティック部５０−２の軸線方向に、スティック部５０−２の頂部５０−４から高さ位置Ｈ１まで延在している。高さ位置Ｈ１は、取付けられたキャップ５１の下端の高さ位置Ｈ２より若干下側である。
【００４２】この溝５０−３は、キャップ取り付け時に、空気を逃がす作用及びキャップ５１が溝５０−３内に一部食い込んでキャップ５１の抜去に対する抗力を高めてキャップ５１が強く固定されるように作用をする。・・・」、
　（ア−２）「【００４６】指先が滑らないように、キャップ５１はゴム製であり、且つ頂面５１−３はシボ５１−４を有する。キャップ５１は、図５に示すように、力Ｆでスティック部５０−２に押し込むことによって取り付けられる。
【００４７】このとき、キャップ５１内の空気は、矢印Ａで示すように溝５０−３を通って逃がされ、キャップ５１は、最終位置まで押し込まれ、正常に取り付けられる。
・・・」。　
　
　原査定の拒絶理由に周知技術として引用された、特開２００２−３１１１７号公報（以下、「引用刊行物イ」という。）には、以下の記載がある。
　（イ−１）「【０００２】
【従来の技術】樹脂部品にボルト、ピン、クリップ等のインサート部材を装着する方法の一つとして、図８に示すように、樹脂部品１にインサート部材２の頭部３を嵌挿するためのボス４を設け、このボス４にインサート部材頭部３を圧入して取り付けていたが、このような方法でインサート部材頭部３を圧入すると、空気がボス４内部に封じ込まれて高圧になり意匠面が膨らむ、インサート部材２の圧入が不完全になり、その固定が強固なものでなくなる等の問題が生ずることがあった。
【０００３】このような問題の発生を防止するための従来の方法の一つとして、図９に示すように、インサート部材２の軸芯に貫通穴５を圧造またはドリル加工により設けていたが、貫通穴５は細長いものであるので、加工に時間を要する、加工がしにくくコストの上昇を招くという問題があった。
【０００４】また、図１０に示すような、ボス４の側面に空気抜き穴６を設ける方法においても、空気抜き穴６を設けるための工程を必要とし、加工に時間がかかるという問題があった。・・・」、　
　（イ−２）「【００１１】・・・ダイス１６の衝打により、図５に示すように、インサート部材頭部３の側面に空気抜き溝１２が形成されるとともに、それにＬ字形に連通する空気抜き溝１２をフランジ部１０上面に形成することができる。」、　
　（イ−３）「【００１５】以上のようにして製造したインサート部材２を、空気抜き穴６を形成していないボス４に嵌挿した場合には、図７に示すように、ボス４内面とインサート部材頭部３とが完全に密着することなく、空気抜き溝１２によりボス４内面に非密着な僅かな空隙を確保することができて、この空隙から空気を逃がすことができる。・・・」。　
　　　　　　　　　　
　（い）本願補正発明１と引用発明１との比較・検討
　（い−１）引用発明１の「打球槌本体１」は、本願補正発明１の「ハンマー本体」に相当し、
　以下同様に、「取付部３」は「先端側取付部位」に、
　「打球へッド５」は「打球槌本体１の取付部３に嵌合固定」されるものであるから「帽子状のハンマーヘッド」及び「ハンマーヘッド」に、
　「嵌合固定」は「嵌合して取付け」に、
　「パチンコ機」は「パチンコ機」に、
　「打球槌」は「打球槌本体１と打球ヘッド５とより成り、打球ヘッド５は、円柱状の打球部５ａからな」るものであるから「球発射装置のハンマー」に、
　それぞれ相当する。
　（い−２）引用発明１の「打球ヘッド５」及び「打球へッド５を打球槌本体１の取付部３に嵌合固定する」構成について検討する。
　　ａ）引用発明１の「打球ヘッド５」は「合成樹脂製」であり、また「打球へッドの材質によっては必ずしも必要とされるものではない、空間１１」は「打球ヘッド５の弾力性を増して球飛びをよくするため」に形成されるものであるから、打球ヘッド５の構成材料は本来「弾力性」を有していると認められる。そうすると、引用発明１が、本願補正発明１の「ハンマーヘッドは、緩衝機能を有する材料により形成され、」に相当する事項を備えているといえる。
　　ｂ）引用発明１の「打球へッド５の凹孔８を打球槌本体１の取付部３に当てがって押し込み、係止突条９，９を係止溝４，４に係止させることにより、打球へッド５を打球槌本体１の取付部３に嵌合固定するものであり、この際に取付部３の先端は凹孔８に設けられた段部１０に当接して位置決めされ」る技術事項について検討すると、「取付部３の根元の上下位置には係止溝４，４が凹設」され、「凹孔８は打球槌本体１の取付部３に合致する形状で設け」られ、「凹孔８の開口入口部の上下内縁には爪状の係止突条９，９が突設」され、そして、上記「ａ）」に記載したように「打球ヘッド５の構成材料は弾力性を有している」ものであるから、これらの事項を併せて考えると、引用発明１では、「打球へッド５の凹孔８を打球槌本体１の取付部３に当てがって押し込むと、凹孔８の開口入口部の上下内縁に取付部３の形状の内側位置まで突設された爪状の係止突条９，９の先端が取付部３の形状に合致するまで上下に離れるよう打球へッド５は弾性変形し、当該係止突条９，９が取付部３の根元まで押し込まれると、変形していた打球へッド５は弾性により復帰して係止突条９，９の先端が取付部３の形状の内側位置まで突設して係止溝４，４に係止し、この際に取付部３の先端は取付部３に合致する形状の凹孔８に設けられた段部１０に当接して位置決めされ」るものであることは明らかである。
　　ｃ）そうすると、引用発明１は本願補正発明１の「ハンマーヘッドは、緩衝機能を有する材料により、内周径が先端側取付部位の外周径より小さく形成され、先端側取付部位へのハンマーヘッドの取付けに際してハンマーヘッドの開放端面が先端側取付部位の後端面を超えるとこのハンマーヘッドの開放端側の内周面が材料の弾性により先端側取付部位の後端面に係止することによってハンマーヘッドの先端側内面が先端側取付部位の先端面に密着した状態に維持され、」の技術事項と比較して、「ハンマーヘッドは、緩衝機能を有する材料により形成され、先端側取付部位へのハンマーヘッドの取付けに際してハンマーヘッドの開放端面が先端側取付部位の後端面を超えるとこのハンマーヘッドの開放端側の内周部分が材料の弾性により先端側取付部位の後端部分に係止することによってハンマーヘッドの先端側内面が先端側取付部位の先端面に密着した状態に維持され、」において一致している。
　　　
　したがって、両者の一致点及び相違点は次のとおりである。
　一致点
　ハンマー本体の先端側取付部位に帽子状のハンマーヘッドを嵌合して取付けて成るパチンコ機における球発射装置のハンマーにおいて、ハンマーヘッドは、緩衝機能を有する材料により形成され、先端側取付部位へのハンマーヘッドの取付けに際してハンマーヘッドの開放端面が先端側取付部位の後端面を超えるとこのハンマーヘッドの開放端側の内周部分が材料の弾性により先端側取付部位の後端部分に係止することによってハンマーヘッドの先端側内面が先端側取付部位の先端面に密着した状態に維持されるパチンコ機における球発射装置のハンマー。
　
　相違点１
　ハンマー本体が、本願補正発明１ではロータリー電磁ソレノイドの出力軸に一緒に回転するように備えられたのに対し、引用発明１ではそのような構成を有するかどうか記載されていない点。
　相違点２
　本願補正発明１では、ハンマーヘッドの内周径が先端側取付部位の外周径より小さく形成され、ハンマーヘッドの開放端側の内周面が先端側取付部位の後端面に係止するのに対し、引用発明１では「ハンマーヘッドの内周（凹孔８）が先端側取付部位（取付部３）に合致する形状で設けられると共に、その内周入口部が先端側取付部位の外周より小さく（爪状の係止突条９，９を突設）形成され、ハンマーヘッドの開放端側の内周部分（係止突条９，９）が先端側取付部位の後端部分（係止溝４，４）に係止する点。
　相違点３
　本願補正発明１では、先端側取付部位の先端面あるいはこの先端面と対面するハンマーヘッドの先端側内面と外部とを繋ぐ空気逃がし手段を備えたのに対し、引用発明１ではそのような構成を有するかどうか記載されていない点。
　　
　そこで、上記相違点について検討する。
　相違点１について
　ロータリー電磁ソレノイドの出力軸に一緒に回転するように備えられたハンマー本体は、例えば特開平７−１１２０５７号公報に示された「ロータリーソレノイド５２の軸５３に基部を固定された槌５４」（【０００２】、及び【図９】参照）、特開平９−２９４８４３号公報に示された「ロータリーソレノイド８１の回動軸８１ａに固着される発射杵８３」（【０００２】、及び【図７】参照）のように周知・慣用の技術であるから、引用発明１に上記周知・慣用の技術を適用して、当該相違点１に係る本願補正発明１を特定する事項とすることは、当業者が容易になし得ることである。
　相違点２について　
　（２ａ）ハンマーヘッドの内周径と先端側取付部位の外周径との関連寸法をどのようなものとするかは構成部材の材質、施工時の作業性、使用時の耐久性などを考慮して、当業者が適宜選択できる設計上の事項であり、また、穴を有する部材に軸部材を嵌合させる場合において、穴の内周径が軸部材の外周径より小さく形成されるものは、はめあい技術における「締りばめ」のように一般的な技術であり、さらにパチンコ機のハンマーにおいて、ハンマーヘッドの内周、及びハンマーヘッド取付部の外周が円筒形状であるものは、例を挙げるまでもなく、周知・慣用の技術であることを併せて考慮すれば、引用発明１における、ハンマーヘッドの内周が先端側取付部位に合致する形状で設けられると共に、その内周入口部が先端側取付部位の外周より小さく形成された技術に基づいて、ハンマーヘッドの内周径を先端側取付部位の外周径より小さく形成することは、当業者が容易になし得ることである。
　（２ｂ）部材間の係止構造において、どのような係止態様とするかは施工時の作業性、使用時の耐久性などを考慮して、当業者が適宜選択できる設計上の事項であり、また、面相互を係止させる構造は一般的な技術であるから、引用発明１における、ハンマーヘッドの開放端側の内周部分（係止突条９，９）が先端側取付部位の後端部分（係止溝４，４）に係止する技術に基づいて、ハンマーヘッドの開放端側の内周面を先端側取付部位の後端面に係止させることは、当業者が容易になし得ることである。
　したがって、引用発明１に基づいて、当該相違点２に係る本願補正発明１を特定する事項とすることは、当業者が容易になし得ることである。
　相違点３について　
　棒状先端部にキャップ状部材を嵌合させる技術において、取付部位の先端面あるいはこの先端面と対面する部材の先端側内面と外部とを繋ぐ空気逃がし手段を備える技術は、例えば引用刊行物ア（特開平８−２７２５２４号公報）に示された「スティック部５０−２の軸線方向に、スティック部５０−２の頂部５０−４から、取付けられたキャップ５１の下端の高さ位置Ｈ２より若干下側である高さ位置Ｈ１まで延在している、溝５０−３」、及び引用刊行物イ（特開２００２−３１１１７号公報）に示された「インサート部材２の軸芯に設けられた貫通穴５」、「ボス４の側面に設けられた空気抜き穴６」、「空気抜き溝１２」（【図９】、【図１０】、【図５、７】参照）のように周知・慣用の技術であるから、引用発明１の「ハンマーヘッド（打球へッド５）を先端側取付部位（打球槌本体１の取付部３）に嵌合固定する」技術に上記周知・慣用の技術を適用して、当該相違点３に係る本願補正発明１を特定する事項とすることは、当業者が容易になし得ることである。
　　　
　また、引用発明１は、「打球槌の取付部３に打球へッド５を確実に取付けることができる」ものであるから、本願補正発明１が格別の効果を奏するものとは認められない。
　
　したがって、本願補正発明１は、引用発明１及び周知・慣用の技術に基づいて、当業者が容易に発明をすることができたものであるから、特許法第２９条第２項の規定により特許出願の際独立して特許を受けることができないものである。
　
　（う）補正却下の決定のむすび
　以上のとおり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
第三、本願発明について
　平成２０年１０月２日付けの手続補正は上記のとおり却下されることとなったので、本願の請求項１乃至５に係る発明は、上記平成２０年７月３日付けで補正された明細書の記載からみて、その特許請求の範囲の請求項１乃至５に記載された事項により特定されるものと認められるところ、その請求項１に記載された発明（以下、「本願発明１」という。）は、前記「第二、［理由］（１）補正前・後の本願発明」に補正前として記載したとおりである。
　
　（ア）刊行物に記載された発明
　原査定の拒絶理由に引用された引用刊行物１（実願昭５６−４８６９６号（実開昭５７−１６０７８３号）のマイクロフィルム）及び引用刊行物ア（特開平８−２７２５２４号公報）並びに引用刊行物イ（特開２００２−３１１１７号公報）に記載された事項は前記「第二、［理由］（２）（あ）刊行物に記載された発明」に記載された事項と同様であるから、援用する。
　
　（イ）本願発明１と引用発明１との対比・判断
　本願補正発明１は、前記「第二、［理由］（１）」で検討したように、本願発明１を特定するために必要な事項である「ハンマー本体」の修飾語句について「駆動源の出力軸に備えられた」を「ロータリー電磁ソレノイドの出力軸に一緒に回転するように備えられた」と補正し、同「材料の弾性により先端側取付部位の後端面に係止する」ものについて、「ハンマーヘッドの開放端側が」を「ハンマーヘッドの開放端側の内周面が」と補正したものである。
　そうすると、本願補正発明１は、本願発明１の発明特定事項を全て含み、さらに他の発明特定事項を付加したものに相当するものであって、その本願補正発明１が、前記「第二、［理由］（２）（い）」に記載したとおり、引用発明１及び周知・慣用の技術に基づいて、当業者が容易に発明をすることができたものであるから、本願発明１も、同様の理由により、引用発明１及び周知・慣用の技術に基づいて、当業者が容易に発明をすることができたものである。
　
　（ウ）むすび
　以上のとおり、本願発明１は、引用発明１及び周知・慣用の技術に基づいて、当業者が容易に発明をすることができたものであるから、特許法第２９条第２項の規定により特許を受けることができないものであり、本願の他の請求項に係る発明について検討するまでもなく、本願は拒絶すべきものである。
　よって、結論のとおり審決する。